(57)【要約】【課題】コスト削減及び刊行問題を減らす使用可能な印刷用紙を提供する。【解決手段】画像形成可能な印刷用紙は、紙基板と前記紙基板に塗布又は含浸されてなる画像形成層とを有し、画像形成層は画像形成層組成物により形成され、画像形成層組成物は、溶媒またはポリマーバインダー中に溶解または分散されているアルコキシ置換ジアリールエテンフォトクロミック材料を含み、画像形成層組成物は、無色の状態と着色した状態の間で可逆的転移を示す。【選択図】なし【特許請求の範囲】
【請求項１】
一般式（Ｉ）により表されることを特徴とするフォトクロミック材料
【化１】
2008310324.tif 000019
［式中：
各Ｘは、独立して、水素、１〜２０個の炭素原子を有するアルキル鎖、臭素、塩素またはヨウ素原子を表し、
Ａは、式（ａ）〜（ｃ）の基を表し、
Ｂは、式（ｄ）〜（ｆ）の基を表し、
【化２】
2008310324.tif 000020
式中：
Ｒ４は、アリールオキシ基、置換または非置換の複素環式芳香族基、アルコキシ基、または置換アルコキシ基（ここで、アルコキシ基のアルキル部分は、直鎖状、分枝状または環状の１から約４０個の炭素原子の置換または非置換のアルキル基を表す）を表し、
Ｒ５は、アリール基、置換または非置換のアルキルアリール基（ここで、アルキルアリール基のアルキル部分またはアルキルアリール基のアリール部分にはヘテロ原子が存在するかしないかのいずれかであってよい）、シアノ基、カルボン酸基、または不飽和アルケン基を表し、
Ｒ６は、水素原子、アルキル基、ハロゲン原子、アルコキシ基、フルオロアルキル基、シアノ基、アリール基、または置換アルキルアリール基を表し、
Ｒ７は、アルキル基、アリール基、置換アルキルアリール基、非置換アルキルアリール基を含むアルキルアリール基（ここで、アルキルアリール基のアルキル部分またはアルキルアリールのアリール部分にヘテロ原子が存在するかしないかのいずれかであってよい）を表し、
Ｒ８は、アリールオキシ基、置換および非置換の複素環式芳香族基、またはアルコキシ基もしくは置換アルコキシ基（ここで、アルコキシ基のアルキル部分は、１から約４０個の炭素原子の、直鎖状、分枝状または環状の置換または非置換のアルキル基を表す）を表し、
Ｒ９は、アリール基、置換または非置換のアルキルアリール基（ここで、アルキルアリール基のアルキル部分またはアルキルアリール基のアリール部分にはヘテロ原子が存在するかしないかのいずれかであってよい）、シアノ基、カルボン酸基、または不飽和アルケン基を表し、
Ｒ１０は、水素原子、アルキル基、ハロゲン原子、アルコキシ基、フルオロアルキル基、シアノ基、アリール基、または置換アルキルアリール基を表し、
Ｒ１１は、アルキル基、アリール基、または置換もしくは非置換のアルキルアリール基（ここで、アルキルアリール基のアルキル部分またはアルキルアリールのアリール部分にはヘテロ原子が存在するかしないかのいずれかであってよい）を表し、
ＵとＺは、それぞれ独立して、硫黄または酸素原子を表す］。
【請求項２】
一般式（ＩＩ）、（ＩＩＩ）、（ＩＶ）、（Ｖ）、（ＶＩ）、（ＶＩＩ）によって表されることを特徴とするフォトクロミック材料
【化３】
2008310324.tif 000021
［式中：
式（ＩＩ）において、Ｘは、ＳまたはＯを表し、
式（ＩＶ）において、Ｘは、Ｓ、ＯまたはＣ＝Ｏを表し、Ｙは、Ｏ、ＣＨ２またはＣ＝Ｏを表し、
式（Ｖ）において、Ｙは、ＣＨ２またはＣ＝Ｏを表し、
式（ＶＩ）において、Ｘは、ＣＨまたはＮを表し、
式（ＶＩＩ）において、Ｙは、ＣＨ２またはＣ＝Ｏを表し、
式中：
Ａは、式（ａ）〜（ｃ）の基を表し、
Ｂは、式（ｄ）〜（ｆ）の基を表し、
【化４】
2008310324.tif 000022
式中：
Ｒ４は、アリールオキシ基、置換または非置換の複素環式芳香族基、アルコキシ基、または置換アルコキシ基（ここで、アルコキシ基のアルキル部分は、直鎖状、分枝状または環状の１から約４０個の炭素原子の置換または非置換のアルキル基を表す）を表し、
Ｒ５は、アリール基、置換または非置換のアルキルアリール基（ここで、アルキルアリール基のアルキル部分またはアルキルアリール基のアリール部分にはヘテロ原子が存在するかしないかのいずれかであってよい）、シアノ基、カルボン酸基、または不飽和アルケン基を表し、
Ｒ６は、水素原子、アルキル基、ハロゲン原子、アルコキシ基、フルオロアルキル基、シアノ基、アリール基、または置換アルキルアリール基を表し、
Ｒ７は、アルキル基、アリール基、置換アルキルアリール基、非置換アルキルアリール基を含むアルキルアリール基（ここで、アルキルアリール基のアルキル部分またはアルキルアリールのアリール部分にヘテロ原子が存在するかしないかのいずれかであってよい）を表し、
Ｒ８は、アリールオキシ基、置換および非置換の複素環式芳香族基、またはアルコキシ基もしくは置換アルコキシ基（ここで、アルコキシ基のアルキル部分は、１から約４０個の炭素原子の、直鎖状、分枝状または環状の置換または非置換のアルキル基を表す）を表し、
Ｒ９は、アリール基、置換または非置換のアルキルアリール基（ここで、アルキルアリール基のアルキル部分またはアルキルアリール基のアリール部分にはヘテロ原子が存在するかしないかのいずれかであってよい）、シアノ基、カルボン酸基、または不飽和アルケン基を表し、
Ｒ１０は、水素原子、アルキル基、ハロゲン原子、アルコキシ基、フルオロアルキル基、シアノ基、アリール基、または置換アルキルアリール基を表し、
Ｒ１１は、アルキル基、アリール基、または置換もしくは非置換のアルキルアリール基（ここで、アルキルアリール基のアルキル部分またはアルキルアリール基のアリール部分にはヘテロ原子が存在するかしないかのいずれかであってよい）を表し、
ＵとＺは、それぞれ独立して、硫黄または酸素原子を表す］。
【請求項３】
画像形成層組成物を紙基板に塗布するステップを含む画像形成媒体を製造する方法であって、画像形成層組成物が、溶媒またはポリマーバインダー中に溶解または分散されているアルコキシ置換ジアリールエテンフォトクロミック材料を含み、
画像形成層組成物が、無色の状態と着色した状態の間で可逆的転移を示すことを特徴とする方法。
【請求項４】
画像を形成する方法であって、
紙基板と、溶媒またはポリマーバインダー中に溶解もしくは分散しているアルコキシ置換ジアリールエテンフォトクロミック材料を含む画像形成組成物を含む、前記紙基板上にコートされているかまたは前記紙基板中に含浸されている画像形成層と、を含む画像形成媒体を用意する工程と、
画像形成媒体を第１の波長のＵＶ照射に、像様のやり方で暴露して可視画像を形成させる工程と、を含み、
前記画像形成組成物は、無色の状態と着色した状態の間で可逆的転移を示すことを特徴とする方法。
【発明の詳細な説明】
【技術分野】
【０００１】
本開示は、広くは、再画像形成可能な紙へのインクレス印刷のための基板、方法、および装置を対象とする。より詳しくは、複数の実施形態において、本開示は、熱と光によって画像形成が可能でありかつ消去が可能である、例えば溶媒またはポリマーバインダー中に分散しているアルコキシ置換ジチエニルエテンを含むような組成物であって、無色の状態と着色状態の間で可逆的転移を示す組成物を利用するインクレスの再画像形成可能な印刷用紙を対象とする。
【背景技術】
【０００２】
インクジェット印刷は、インクの小滴を基板上に画像に沿って噴出することによって画像が形成されるよく確立されたマーケットおよびプロセスである。インクジェットプリンタは、家庭およびビジネス環境において幅広く使用されており、特にそのインクジェットプリンタの低コストのおかげで家庭環境において使用されている。インクジェットプリンタは、広範な被印刷物例えば標準的な事務用紙、透明紙、および印画紙などに白黒の文字から写真画像に至るまで、高品質の画像を形成することを一般に可能にする。
【０００３】
しかしながら、低いプリンタコストにもかかわらず、交換用のインクジェットカートリッジのコストは高く、時にはプリンタそれ自体のコストより高いことがあり得る。これらのカートリッジは頻繁に交換しなければならず、したがって、インクカートリッジの交換コストはインクジェット印刷に関する消費者の主要な不平の種である。したがって、インクカートリッジ交換コストの削減は、インクジェット印刷のユーザにとって大きな改良である。
【０００４】
さらに、多くの紙の文書は、読まれた後は直ちに廃棄される。紙はあまり高価ではないとはいえ、廃棄される紙文書の量は膨大であり、これら廃棄される紙文書の処分は、相当なコストおよび環境問題を引き起こす。それにより、所望の画像を含むための新たな媒体、およびそのような媒体を調製し使用するための方法を提供することに対する要求が存在し続けている。その態様においては、再使用可能なこと、コストと環境問題を減らすことが望ましく、それはまた、エンドユーザにとって日常的に受け入れられ、使用および保存が容易である媒体を提供する柔軟であって紙のようであることが望ましい。
【０００５】
【特許文献１】米国特許第３９６１９４８号
【非特許文献１】「Ｄｉｔｈｉｅｎｙｌｅｔｈｅｎｅｓ  ｗｉｔｈ  ａ  Ｎｏｖｅｌ  Ｐｈｏｔｏｃｈｒｏｍｉｃ  Ｐｅｒｆｏｒｍａｎｃｅ」、Ｊ．Ｏｒｇ．Ｃｈｅｍ．、２００２年、６７、４５７４〜４５７８頁
【非特許文献２】Ｃｈｅｍ．Ｌｅｔｔ．、２００２年、５７２頁
【発明の開示】
【発明が解決しようとする課題】
【０００６】
過渡的な画像形成および保存に対しては入手可能な技術が存在するが、それらは一般に、紙の代用品としてのほとんどの用途に対しては決して望ましい結果は提供しない。例えば、代わりとなる技術としては、液晶ディスプレイ、電気泳動画像媒体、およびジリコン（ｇｙｒｉｃｏｎ）画像媒体が挙げられる。しかしながら、これらの代替技術は、多くの事例において、所望の再画像形成の可能性は提供するものの、従来の紙の外観および感触を有する文書は提供することができない。
【０００７】
可逆性または非可逆性の光誘導性色変化を受ける材料であるフォトクロミック材料を用いる画像形成技術は知られており、例えば米国特許第３９６１９４８号は、有機のフィルム形成性バインダー中に少なくとも１つのフォトクロミック材料の分散体を含有するフォトクロミック画像形成層の可視光により誘発される変化に基づく画像形成方法を開示している。
【０００８】
これらおよびその他のフォトクロミック（あるいは再画像形成可能なまたは電気的な）紙は、それらが、何回も再使用して画像および書類を一時的に保存することができる画像形成媒体を提供することができるために望ましい。例えば、フォトクロミック系媒体についての応用としては、再画像形成可能な書類、例えば電子ペーパー書類などが挙げられる。再画像形成可能な書類は、ユーザが望む間は情報を保存することを可能にし、その後はその情報は消去させることができ、あるいは再画像形成可能な書類を、画像形成システムを用いて異なる情報により再画像化することができる。
【課題を解決するための手段】
【０００９】
本開示は、複数の実施形態において、熱と光によって画像形成と消去の両方が可能であり、溶媒またはポリマーバインダー中に分散しているアルコキシ置換ジアリールエテンを含む組成物であって、無色の状態と着色状態の間で可逆的転移を示す組成物を利用する再画像形成可能な紙を提供することにより、これらおよびその他の必要性に対処する。
【発明を実施するための最良の形態】
【００１０】
大まかには、様々な例示的な実施形態において、溶媒またはポリマーバインダー中に分散しているアルコキシ置換ジアリールエテンであるフォトクロミック材料を含むような、熱と光によって画像形成が可能であり、消去が可能である組成物（組成物は、無色の状態と着色状態の間で可逆転移を示す）を用いて形成されるインクレスの再画像形成可能な紙が提供される。画像形成層を第１の刺激、例えばＵＶ光照射にさらすことによって、フォトクロミック材料の無色状態から着色状態への転換が引き起こされる。同様に、その画像形成層を第２の刺激、例えば可視光照射と任意選択の熱にさらすことによって、フォトクロミック材料の着色状態から無色状態への転換が引き起こされる。
【００１１】
複数の実施形態において、画像形成媒体は、適当な紙基板材料に塗布または含浸された、または第１と第２の基板材料（すなわち、紙基板材料と上塗り層）の間に挟まれているすなわちラミネートされている画像形成層を一般に含む。その画像形成層は、溶媒またはポリマーバインダー中に分散しているアルコキシ置換ジアリールエテンであり、着色状態において増大した熱安定性を提供する改良されたフォトクロミックおよびサーモクロミック材料を含む。
【００１２】
画像形成層は、任意の適当なフォトクロミック材料および溶媒またはポリマーバインダーを含むことができる。例えば、フォトクロミック材料および溶媒またはポリマーバインダーは、フォトクロミック材料が溶媒またはポリマーバインダー中に溶解または分散されたとき、そのフォトクロミック材料がその透明な状態であるように選択する。しかしながら、そのフォトクロミック材料は、第１の刺激、例えば紫外光にさらされたとき、そのフォトクロミック材料は異性体化して、より極性の着色した形態となる。この色の変化は、逆転させることができ、それ故、様々な手段、例えば異性化反応を逆転させる可視光および／または熱などの第２の刺激を加えることによって、画像を「消去」し、フォトクロミック紙をブランクの状態に戻すことができる。着色した状態で、画像は、２日以上、例えば１週間以上または１カ月以上の期間、見え続けることができ、フォトクロミック紙のさらなる有用性を提供する。
【００１３】
複数の実施形態において、フォトクロミック材料は、溶媒またはポリマーバインダー中に分散しているアルコキシ置換ジアリールエテンであり、そこでこのフォトクロミック材料は、無色の状態と着色した状態の間の可逆転移を示す。フォトクロミック材料の様々な典型的な実施形態は、可逆的な転移が２つより多い形態の間で起こることが可能な場合には、３つ以上の形態の間の化学種の可逆的転移を含み得る。複数の実施形態のフォトクロミック材料は、それぞれが可逆的に相互転換できる形態を有する１つ、２つ、３つ、４つまたはそれ以上の異なるタイプのフォトクロミック材料から構成させることができる。本明細書で使用される用語「フォトクロミック材料」とは、それらの一時的な異性体の形態にかかわらず、フォトクロミック材料の特定の種のすべての分子を指す。
【００１４】
複数の実施形態において、再画像形成可能な紙は、また一般に、溶媒またはポリマーバインダー中に分散または溶解されているフォトクロミック材料の溶媒またはポリマーバインダーの混合物を、その混合物が適当な紙基板材料上に塗布されているか、第１と第２の基板材料（その材料の一方は紙である）の間に挟まれた状態で含む。必要に応じて、その混合物は、基板材料上、または第１と第２の基板材料の間に、例えばその溶媒混合物をマイクロカプセルの中に入れるなどして、さらに押し込むことができる。
【００１５】
文献に現れる圧倒的大多数のジチエニルエテンフォトクロームが、２−チエニル位においてアルキル基（一般的にはメチル）により置換される。これらの化合物は、ＵＶ光で急速に着色し、可視光で脱色し、両方の状態において熱的に安定な発色団である。２−チエニルメチルジチエニルエテンにより代表されるこれらの化合物は次のように表すことができる：
【化１】
2008310324.tif 000002
しかしながら、メチル基がアルコキシ基によって置換されている２−チエニルアルコキシ置換ジチエニルエテンは、着色状態の可視光に対する長期間にわたる安定性が増し、一方で同時に熱脱色に対する障壁を低下させることが見出されている。
【００１６】
したがって、実施形態において使用するのに適する置換されたジアリールエテンは、以下の一般式［Ｉ］により表すことができる：
【化２】
2008310324.tif 000003
式［Ｉ］において、Ｘは、独立して、Ｈ；ハロゲン、例えば塩素、フッ素、臭素など；１から約２０または約４０個までの炭素原子の直鎖または分枝、置換または非置換のアルキル基、例えばメチル、エチル、プロピル、ブチルなどであり、置換はハロゲン原子、ヘテロ原子（例えば酸素基、窒素基など）などを含むことができるものを表す。
【化３】
2008310324.tif 000004
式［ＩＩ］において、Ｘは、ＳまたはＯを表す。
【化４】
2008310324.tif 000005
【化５】
2008310324.tif 000006
式［ＩＶ］において、Ｘは、Ｓ、ＯまたはＣ＝Ｏを表し、Ｙは、Ｏ、ＣＨ２またはＣ＝Ｏを表す。
【化６】
2008310324.tif 000007
式［Ｖ］において、Ｙは、ＣＨ２またはＣ＝Ｏを表す。
【化７】
2008310324.tif 000008
式［ＶＩ］において、Ｘは、ＣＨまたはＮを表す。
【化８】
2008310324.tif 000009
式［ＶＩＩ］において、Ｙは、ＣＨ２またはＣ＝Ｏを表す。
【００１７】
一般式［Ｉ］〜［ＶＩＩ］において、Ｒ４、Ｒ５は、それぞれ独立して、置換アルキル基、非置換アルキル基、直鎖アルキル基、分枝アルキル基を含むアルキル基（ここで、ヘテロ原子、例えば酸素、窒素、硫黄、ケイ素、リン、ホウ素などがそのアルキル基に存在していてもいなくてもよい）、ハロゲン基、アルコキシ基、シアノ基、ニトロ基、アミノ基、アミド基、アリール基、置換アルキルアリール基、非置換アルキルアリール基を含むアルキルアリール基（ここで、ヘテロ原子が、アルキルアリール基のアルキル部分またはアルキルアリール基のアリール部分に存在していてもいなくてもよい）から選択され、Ｒ６は、置換アルキル基、非置換アルキル基、直鎖アルキル基、分枝アルキル基を含むアルキル基（ここで、ヘテロ原子、例えば酸素、窒素、硫黄、ケイ素、リン、ホウ素などがそのアルキル基に存在していてもいなくてもよい）を表し、Ａは、下に示す置換基［ａ］または［ｂ］または［ｃ］を表し、Ｂは、下に示す置換基［ｄ］または［ｅ］または［ｆ］を表す。
【化９】
2008310324.tif 000010
【００１８】
置換基［ａ］〜［ｃ］において、Ｒ４は、フェニル、ナフチルなどおよび置換または非置換の複素環式芳香族基を含むアリールオキシ基；アルコキシ基または置換アルコキシ基であって、アルコキシ基のアルキル部分が、１から約２０個または約４０個までの炭素原子の直鎖、分枝または環状の置換または非置換のアルキル基、例えばメチル、エチル、プロピル、ブチル、イソプロピル、シクロヘキシル、イソボルネオールなどを表し、置換は、ハロゲン原子、ヘテロ原子（例えば酸素基、窒素基など）などを含むことができ、Ｒ５は、アリール基、または置換アルキルアリール基、非置換アルキルアリール基を含み、ヘテロ原子がそのアルキルアリール基のアルキル部分またはそのアルキルアリールのアリール部分に存在していてもいなくてもよいアルキルアリール基、シアノ基、カルボン酸基あるいは不飽和アルケン基を表し、Ｒ６は、水素原子、アルキル基、ハロゲン原子、およびアルコキシ基、フルオロアルキル基、シアノ基、アリール基、または置換アルキルアリール基を表し、Ｒ７は、アルキル基およびアリール基、または置換アルキルアリール基、非置換アルキルアリール基を含むアルキルアリール基であって、ヘテロ原子がそのアルキルアリール基のアルキル部分またはそのアルキルアリールのアリール部分に存在していてもいなくてもよいものを表し、Ｕは、ＯまたはＳを表す。
【００１９】
置換基［ｄ］〜［ｆ］において、Ｒ８は、フェニル、ナフチルなどおよび置換または非置換の複素環式芳香族基を含むアリールオキシ基；またはアルコキシ基または置換アルコキシ基であって、アルコキシ基のアルキル部分が、１から約２０個または約４０個までの炭素原子の直鎖、分枝または環状の置換または非置換のアルキル基、例えばメチル、エチル、プロピル、ブチル、イソプロピル、シクロヘキシル、イソボルネオールなどを表し、置換は、ハロゲン原子、ヘテロ原子（例えば酸素基、窒素基など）などを含むことができ、Ｒ９は、アリール基、または置換アルキルアリール基、非置換アルキルアリール基を含み、ヘテロ原子がそのアルキルアリール基のアルキル部分またはそのアルキルアリールのアリール部分に存在していてもいなくてもよいアルキルアリール基、シアノ基、カルボン酸基あるいは不飽和アルケン基を表し、Ｒ１０は、水素原子、アルキル基、ハロゲン原子、およびアルコキシ基、フルオロアルキル基、シアノ基、アリール基、または置換アルキルアリール基を表し、Ｒは、アルキル基およびアリール基、または置換アルキルアリール基、非置換アルキルアリール基を含むアルキルアリール基であって、ヘテロ原子がそのアルキルアリール基のアルキル部分またはそのアルキルアリールのアリール部分に存在していてもいなくてもよいものを表し、Ｚは、ＯまたはＳを表す。
【００２０】
一定の実施形態において、式［Ｉ］〜［ＶＩＩ］の置換ジアリールエテンは、Ｒ４とＲ８が同じアルコキシを含有する置換基であるような化合物である。この場合、アルキル基または置換アルキル基は４個以上の炭素原子を含有することが必要である。これは本願についての適切な熱に基づく環開裂反応時間に対する必要条件である。しかしながら、他の実施形態においては、Ｒ４とＲ８のアルコキシ置換基は異なるアルコキシ置換基であり得る。この場合も同様に、そのアルコキシ基の少なくとも１つまたは両方のいずれかが、４個以上の炭素原子を含有することが望ましい。
【００２１】
２−チエニルアルコキシを含有しているジアリールエテンは、それらの着色した状態において、アルキル置換されているジアリールエテンなど他の置換ジアリールエテンより可視光に対して長時間にわたってより安定である。同時に、そのアルコキシ置換は、着色した状態から無色の状態に戻る熱脱色すなわち逆異性化に対する障壁を低下させる。これらは再使用可能な紙書類媒体に対する重要な特性であり、フォトクロームのアルコキシ含有ジチエニルエテンの種類に非常に特有であることが見出された。例えば、特に無人で残される情報の安全性に関係するようなあるユーザにとっては、約１日で再画像形成可能な書類が自動的に消去することは有益である。しかしながら、他のユーザにとっては、自動的に消去することは、そのユーザは消去時間／速度を過ぎたコントロールを有さないために不利である。これらの後のユーザは、書類が印刷された画像を必要な長さだけ（例えば、数日から数週間以上にわたって）表示し、次にユーザが決心するとき、情報が、同じ紙のシートに新たな情報をリプリントする間に消去される「オンデマンドで消去する」タイプの再使用可能な書類の方を選ぶであろう。
【００２２】
アルコキシ変性したジアリールエテンの特別な利点は、アルコキシ置換基の適切な選択によって熱消去に対する障壁の固有の調整を可能にすることができることである。例えば、熱消去に対する障壁は、アルコキシＲ基置換基の構造に基づいて、周囲温度（例えば約２５〜約７０℃）における長期間の熱に基づく色安定性を維持する一方で、高温（例えば約８０〜約１６０℃）においては迅速かつ完全であるように調整することができる。熱分析および分光分析に基づいて、特定の化合物の半減期熱安定性は、最低の熱安定性のｔ−ブチル化合物についての３０℃で約２．２時間からメトキシ化合物についての３０℃で４２０年まで変動することを予測できる。
【００２３】
したがって、いくつかの実施形態において、アルコキシ変性ジチエニルエテンフォトクロミック材料は、その着色状態からその無色の状態に適当な照射、例えば可視光単独など、にさらすことによって容易に転換させることができる。しかしながら、他の複数の実施形態においては、アルコキシ変性ジチエニルエテンフォトクロミック材料は、その着色状態からその無色の状態に適当な照射、例えば熱と組み合わせた可視光にさらすか、または熱単独にさらすことによって容易に転換させることができる。本明細書で「容易に転換される」とは、用意したフォトクロミック材料が、約３０分未満、約１０分未満、約１分未満、または約３０秒未満の熱および／または光の適切な転換手段への暴露時間の間にその着色した状態からその無色の状態に転換され得ることを意味する。それに対して、本明細書で「容易に転換されない」とは、用意したフォトクロミック材料が、約１時間未満、例えば約１週間未満、約１年未満、または約５年未満の熱および／または光の適切な転換手段への暴露時間の間にその着色した状態からその無色の状態に転換されないことを意味する。例えば、転換に対する活性化因子として熱を使用するいくつかの実施形態において、約８０〜約２５０℃、例えば約１００〜約２００℃または約１００〜約１６０℃の温度でのフォトクロミック材料の加熱は、フォトクロミック材料を上記の時間中に着色した状態から元の無色の状態に容易に転換することができるが、約２５〜約７５℃の温度でのフォトクロミック材料の加熱は、フォトクロミック材料を着色した状態から元の無色の状態に容易には転換しない。
【００２４】
これらのフォトクロミック材料は、かくして、置換を異にするかまたは非置換の他のジチエニルエテンを含む他のフォトクロミック材料とは、材料が、可視光単独にさらすことによっては着色状態から無色の状態に一般に容易に転換して戻ることができず、着色状態から無色の状態に転換して戻るためには、可視光ありまたはなしで適当な加熱にさらすことを必要とするという点で異なる。これは、周囲の熱を超える十分な熱が構造の再編が起こることを可能にする十分な分子格子移動を引き起こすまで着色した状態を凍結することができるために、望ましい製品を可能にする。さらに、複数の実施形態において、フォトクロミック材料は、そのフォトクロミック材料が着色状態と無色の状態の間の切り替えを起こすために、熱を加えることのみを必要とし、光の刺激は必要としない。
【００２５】
画像形成材料（フォトクロミック材料）は、任意の適当なキャリア、例えば溶媒、ポリマーバインダーなどの中に溶解または分散させる。１つ以上の溶媒の混合物すなわち溶媒系も、使用することができる。さらに、より極性の溶媒も必要に応じて使用することができる。
【００２６】
有機ポリマーまたは水性ポリマーのいずれかに分散可能な両方の組成物が、使用される成分によって使用することができる。例えば、水組成物に対しては、ポリビニルアルコールが適当な適用溶媒であり、ポリメチルメタクリレートが有機可溶組成物に対して適する。いくつかの実施形態において、ポリメチルメタクリレートまたはポリスチレンは、それらのコストおよび広範な入手の可能性の点から好適なポリマーバインダーである。ポリマーバインダーは、使用に際して、コーティングまたはフィルム形成組成物を提供する役割を有する。
【００２７】
ポリマーバインダーとして、相変化物質もまた使用することができる。
【００２８】
一般に、任意の有機ポリマーのほとんどを使用することができる。しかしながら、複数の実施形態において、可視画像を消去するために熱を使用するので、ポリマーは、選択された特定のアルコキシ置換ジアリールエテンフォトクロームに基づいて形成された画像を消去するために使用することができる高温に耐えることのできる熱的性質をそれが有するように選択することができる。
【００２９】
複数の実施形態において、画像形成組成物は、１つの形に塗布し、使用するための別の形に乾燥させることができる。つまり、例えば、フォトクロミック材料および溶媒またはポリマーバインダーを含む画像形成組成物は、紙基板に塗布または含浸させるための溶媒に溶解または分散させ、その溶媒は乾燥した層を形成するために後で蒸発させることができる。
【００３０】
一般に、画像形成組成物は、キャリアおよび画像形成材料を任意の適当な量、例えば約５〜約９９．５重量パーセントのキャリア、例えば約３０〜約７０重量パーセントのキャリア、および約０．０５〜約５０重量パーセントのフォトクロミック材料、例えば約０．１〜約５重量パーセントのフォトクロミック材料を含むことができる。
【００３１】
画像形成層を画像形成媒体の紙基板に塗布するためには、画像形成層組成物を任意の適当なやり方で塗布することができる。
【００３２】
画像形成媒体は、少なくとも１面に画像形成層をコートまたは含浸させた支持紙基板を含むことができる。所望により、その基板は、１面だけか、または両面に画像形成層をコートまたは含浸させることができる。
【００３３】
任意の適当な支持紙基板を使用することができる。
【００３４】
画像形成媒体中に不透明層を使用するときは、任意の適当な材料を使用することができる。例えば、白い紙のような外観が望まれる場合、その不透明層は、二酸化チタン、または酸化亜鉛、無機炭酸塩などのようなその他の適当な材料の薄いコーティングにより形成することができる。その不透明層は、他の厚さを使用することもできるが、例えば、約０．０１ｍｍ〜約１０ｍｍ、例えば約０．１ｍｍ〜約５ｍｍの厚さを有することができる。
【００３５】
必要に応じて、さらなる上塗り層を、塗布した画像形成層の上に塗布することもできる。
【００３６】
フォトクロミック材料が、紙基板上に塗布される溶媒と混合される場合であって、かつその溶媒系が最終製品中に保持される場合、さらなる処理が必要であり得る。結果として、フォトクロミック材料が紙基板上に単に塗布される場合、被覆材料は、一般に、溶媒系を基板上の適所に拘束するためにその溶媒系の上に塗布する。つまり、例えば、その被覆材料は、基板層用として上で開示した適当な材料のいずれかのような固体層であることができる。代わりの一実施形態においては、ポリマー材料またはフィルムをフォトクロミック材料の上に塗布することができ、その場合、ポリマーフィルムは、離れた点の状態のフォトクロミック材料に浸透し、基板近くで底部と境を接し、ポリマー材料近くで側面および上面と境を接しているフォトクロミック材料のポケットすなわちセルを実質的に形成する。そのセルの高さは、以下には限定されないが、例えば、約１μｍ〜約１０００μｍであり得る。そのセルは、任意の形状、例えば、正方形、長方形、円、多角形などであり得る。これらの実施形態において、被覆材料は、フォトクロミック材料により提供されるフルカラーのコントラスト効果を提供するために、無色透明であることが有利である。
【００３７】
別の実施形態においては、フォトクロミック材料を含む溶媒系は、カプセル化またはマイクロカプセル化して、得られたカプセルまたはマイクロカプセルを、上記のような紙基板上に堆積またはコートすることができる。
【００３８】
その方法の態様において、本開示は、紙基板と、溶媒またはポリマーバインダー中に分散されたアルコキシ置換ジチエニルエテンを含む画像形成層とを含む画像形成媒体を提供するステップを含み、そこでその組成物は、無色の状態と着色状態との間の可逆転換を示す。個々の書込みと消去のプロセスを提供するために、画像形成は第１の刺激、例えばＵＶ照射などを、画像形成材料に加えて色の変化を引き起こすことにより行い、消去は、第２の異なる刺激、例えばＵＶまたは可視光の照射および場合によって熱などを、画像形成材料に加えて色の変化を逆転させることにより行う。その他の複数の実施形態において、その消去は、可視光と熱の両方を加えるか、熱単独を加えることによって行われる。
【００３９】
複数の実施形態において、加熱は、書込みおよび／または消去プロセスのいずれに対しても、光照射の前または光照射と同時に画像形成層に加えることができる。しかしながら、複数の実施形態において、加熱は書込みプロセスには必要ではなく、ということは無色から着色への色の変化を引き起こすにはＵＶ光のような刺激で十分であり、しかし一方、消去プロセスに対しては、着色から無色への色の変化を速めるための材料の移動性を増す助けとなるために加熱することが望ましく、あるいは必要であり得る。その加熱は、その加熱が、画像形成組成物が照射または消去プロセスの間に所望の温度まで上げられる原因となる限りは、照射の前もしくは途中、または単独で適用することができる。任意の適当な加熱温度を使用することができ、例えば、使用される特定の画像形成組成物に依存する。
【００４０】
異なる刺激、例えば異なる光照射の波長などを、明確な書込みおよび消去操作を提供するために適切に選択することができる。例えば、一実施形態において、フォトクロミック材料は、ＵＶ光に感受性で透明状態から着色状態への異性化を引き起こすが、着色状態から透明状態への異性化を引き起こすには可視光に感受性であるように選択する。その他の複数の実施形態において、書込みおよび消去の波長は、少なくとも約１０ｎｍ、例えば少なくとも約２０ｎｍ、少なくとも約３０ｎｍ、少なくとも約４０ｎｍ、少なくとも約５０ｎｍ、または少なくとも約１００ｎｍ分離させる。
【００４１】
書込みプロセスにおいて、画像形成媒体は、活性化させる適切な波長を有する画像形成性の光、例えば発光ダイオード（ＬＥＤ）のようなＵＶ光源に、画像に沿ったやり方でさらす。その画像形成性の光は、フォトクロミック材料が透明な状態から着色した状態に例えば異性化などして転換し、画像形成の位置で着色した画像を生じ、そのフォトクロミック材料が安定な異性体の形に異性化して画像中にロックされることを引き起こすために、フォトクロミック材料に十分なエネルギーを供給する。画像形成媒体の特定の区域に照射されるエネルギーの量は、その区域で発生する色の強さまたは色相に影響し得る。適当なフォトクロミック材料、溶媒もしくはポリマーバインダー、および照射条件が選択されたとき、画像形成媒体の特定区域で照射されるエネルギーの量の変動は、かくして、グレースケール画像の形成を可能にし、その一方で、他の適当なフォトクロミック材料の選択により、フルカラー画像の形成を可能にすることができる。
【００４２】
書込みプロセスにより画像が一旦形成されると、その画像形成材料内のフォトクロミック材料の形成された安定な異性体の形が、画像中にロックされる。すなわち、新たなフォトクロミック材料の異性体の形は、周囲の熱および光に対してより安定であり、したがってより大きな長期間の安定性を示す。その画像は、それによって「凍結」または固定され、特別の第２の刺激なしでは容易に消去することはできない。複数の実施形態において、画像はロックされ、周囲の熱または光では容易には消去することができず、無色の状態に戻すためには高温およびまたは光の刺激を必要とする。画像形成基板は、かくして、長寿命の画像存続期間を示すが、所望によっては消去してさらなる画像形成サイクルのために再使用することができる。
【００４３】
消去プロセスにおいては、異なる刺激、例えば異なる波長の照射光、例えば可視光が使用されること、および／またはフォトクロミック材料がキャリア物質のガラス転移点、融点、または沸点の温度またはその近くの温度まで加熱される場合を除けば、書込みプロセスが、本質的に繰り返される。例えば、その加熱は、約８０〜約２５０℃の温度、例えば約１００〜約２００℃または約１００〜約１６０℃で行うことができる。消去プロセスは、画像形成区域で前もって形成された画像を消去するために、異性化の逆転およびフォトクロミック単位の、着色した状態から透明な状態への異性化のような転換を引き起こす。消去手段は、必要に応じて、画像に向けたやり方に関するか、全体としての画像形成層全体に関するものであり得る。加熱ステップは任意的であり、一定の組成物は、光の波長などの選択された刺激にさらすだけで消去されるように準備することができ、一方、他の組成物は、場合によっては光の波長などの選択された刺激にさらすことを加えるとしても、加熱条件下のみで消去することができるように準備することができる。
【００４４】
一時的な画像を形成するために使用される別々の画像形成性の光は、例えば単一波長または帯域波長のような任意の適当な所定の波長範囲を有することができる。様々な例示的実施形態において、画像形成性の光は、単一波長または狭帯域波長を有する紫外（ＵＶ）光である。例えば、ＵＶ光は、約２００ｎｍ〜約４７５ｎｍのＵＶ光波長範囲、例えば、約３６５ｎｍの単一波長または約３６０ｎｍ〜約３７０ｎｍの波長帯から選択することができる。画像を形成するために、画像形成媒体は、それぞれの画像形成の光に約１０ミリ秒〜約５分、特に約３０ミリ秒〜約１分の範囲の時間さらすことができる。画像形成性の光は、約０．１ｍＷ／ｃｍ２〜約１００ｍＷ／ｃｍ２、特に約０．５ｍＷ／ｃｍ２〜約１０ｍＷ／ｃｍ２の範囲の強度を有することができる。
【００４５】
消去用の光は、着色状態の異性体の可視領域における吸収スペクトルと重複する波長の強い可視光である。例えば、消去用の有用な光は、約４００ｎｍ〜約８００ｎｍまたは好ましくは約５００ｎｍ〜約８００ｎｍの範囲の波長を有することができる。消去に有用な可視光は、消去すべき文書の領域近くに配置されている５Ｗ〜約１０００Ｗまたはより好ましくは約２０Ｗ〜約２００Ｗの出力を有するバルブを備えたキセノン光源から得ることができる。別の適当な消去用光源は、上で定義した光スペクトルの可視領域の波長を有するＬＥＤである。消去用の光は、単一波長または狭帯域波長を有していることができる。
【００４６】
様々な例示的実施形態において、所定の画像に対応する画像形成性の光は、例えばコンピュータまたは発光ダイオード（ＬＥＤ）配列スクリーンにより発生させることができ、その画像は、その媒体をＬＥＤスクリーン上またはその近くに望ましい時間置くことによって画像形成媒体上に形成される。他の例示的実施形態においては、ＵＶレーザビームスキャナ（ＲＯＳ）（Ｒａｓｔｅｒ  Ｏｕｔｐｕｔ  Ｓｃａｎｎｅｒ）を使用して画像に沿ったパターンのＵＶ光を発生させることができる。この実施形態は、例えば別の従来のやり方においては印刷された画像を発生するコンピュータによって駆動させることができるプリンタ装置に特に応用可能である。
【実施例】
【００４７】
実施例１．
置換基［ａ］および［ｄ］が同じであり、３個より多い炭素原子をＲ４とＲ８のアルコキシ置換基に有するフォトクロミック材料（３，３’−ペルフルオロシクロペント−１−エン−１，２−ジイル）ビス（２−（シクロヘキシルオキシ）−５−フェニルチオフェン）を、下記のように合成した。３−ブロモ−２−（シクロヘキシルオキシ）−５−フェニルチオフェンのオクタフルオロシクロペンテンへの結合は、「Ｄｉｔｈｉｅｎｙｌｅｔｈｅｎｅｓ  ｗｉｔｈ  ａ  Ｎｏｖｅｌ  Ｐｈｏｔｏｃｈｒｏｍｉｃ  Ｐｅｒｆｏｒｍａｎｃｅ」、Ｊ．Ｏｒｇ．Ｃｈｅｍ．、２００２年、６７、４５７４〜４５７８頁に記載されている手順に従って前もって形成した。
【化１０】
2008310324.tif 000011
シクロヘキシル４−オキソ−４−フェニルブタノエート：周囲温度の２Ｌの３つ口丸底フラスコに、ジクロロメタン（１．５Ｌ）中の４−オキソ−４−フェニルブタン酸（４１ｇ、２３０ｍｍｏｌ）を加え、無色の濁りを帯びた溶液を生じさせた。ＤＣＣ（４７．５ｇ、２３０ｍｍｏｌ）を加え、次にシクロヘキサノール（２３．０５ｇ、２３０ｍｍｏｌ）を加えた。混合物を室温（ＲＴ）で３時間攪拌し、次いでＤＭＡＰを加えた（２．８１ｇ、２３ｍｍｏｌ）。その反応物を周囲温度で２４時間攪拌し、溶媒を蒸留によって〜４００ｍｌまで濃縮し、その溶液を次に濾過して白色の固体を除去した。その溶液を次に濃縮し、残留物を、カラムクロマトグラフィー（ＳｉＯ２）によりＣＨ２Ｃｌ２／ヘキサンの１：３中で精製し、シクロヘキシル４−オキソ−４−フェニルブタノエートである無色の液体（５６ｇ）を得た（８８％収率）。
【化１１】
2008310324.tif 000012
２−（シクロヘキシルオキシ）−５−フェニルチオフェン：アルゴン下の５００ｍＬの丸底フラスコに、シクロヘキシル４−オキソ−４−フェニルブタノエート（２ｇ、７．６８ｍｍｏｌ）および無水トルエン（１２５ｍＬ）中のローソン試薬（Ｌａｗｅｓｓｏｎ  ｒｅａｇｅｎｔ）（３．７３ｇ、９．２２ｍｍｏｌ）を加えて白色の懸濁液を生じさせた。その混合物を加熱して還流させ、それによってローソン試薬を溶解させた。その混合物を〜２４時間還流させ、その時点でその混合物を冷却して濾過した。その濾液を濃縮し、ＳｉＯ２の短カラムにかけ、ＣＨ２Ｃｌ２：ヘキサンの１：３でフラッシングして、２−（シクロヘキシルオキシ）−５−フェニルチオフェンである白色固体（１．４ｇ）を得た（７０％）。
【化１２】
2008310324.tif 000013
３−ブロモ−２−（シクロヘキシルオキシ）−５−フェニルチオフェン：０℃に冷却した２５０ｍＬの丸底フラスコに、２−（シクロヘキシルオキシ）−５−フェニルチオフェン（１．０７１ｇ、４．１５ｍｍｏｌ）およびＣＨ２Ｃｌ２（７５ｍＬ）中のＮＢＳ（Ｎ−ブロモスクシンイミド）（０．７３８ｇ、４．１５ｍｍｏｌ）を加えた。その混合物を攪拌して無色の溶液を生じさせた。その混合物を０℃で１時間攪拌した。その混合物をそのまま周囲温度まで温めた。周囲温度になって１時間後、その混合物を濃縮し、シリカのプラグを通すフラッシング（１：３のＣＨ２Ｃｌ２：ヘキサン）にかけ、３−ブロモ−２−（シクロヘキシルオキシ）−５−フェニルチオフェンである白色固体（１．２５ｇ）を得た（９５％）。
【化１３】
2008310324.tif 000014
（３，３’−ペルフルオロシクロペント−１−エン−１，２−ジイル）ビス（２−（シクロヘキシルオキシ）−５−フェニルチオフェン：周囲温度の火炎乾燥したアルゴン下の１００ｍＬの丸底フラスコに、無水ＴＨＦ（６０ｍｌ）中の３−ブロモ−２−（シクロヘキシルオキシ）−５−フェニルチオフェン（０．９０５ｇ、２．６８ｍｍｏｌ）を加え、藤色の溶液を生じさせた。その溶液を−７０℃に冷却し、ｎ−ブチルリチウム２．５Ｍヘキサン（１．０７３ｍｌ、２．６８ｍｍｏｌ）を、２分間かけて滴下して加えた。その混合物は淡黄色に変わり、−７０℃で２時間攪拌した。ペルフルオロシクロペント−１−エン（０．１７６ｍｌ、１．３１５ｍｍｏｌ）を次に加えた。その混合物を−７０℃で３０分攪拌し、次いでそのまま周囲温度まで温め、１時間攪拌した。水とエーテルを加えて層分離させた。エーテル層を飽和重炭酸塩、次いで塩水（brine）で洗浄し、硫酸ナトリウムにより乾燥した。エーテルを除去し、褐色の残留物をヘキサンによるカラムクロマトグラフィー（ＳｉＯ２）によって精製し、（３，３’−ペルフルオロシクロペント−１−エン−１，２−ジイル）ビス（２−（シクロヘキシルオキシ）−５−フェニルチオフェンであるやや緑色の固体（０．３５ｇ）を得た（２０％）。
【００４８】
実施例２．
置換基［ａ］と［ｄ］が異なり、［ａ］がアルコキシ基Ｒ４に３個より少ない炭素原子を有しており、［ｄ］がアルコキシ置換基Ｒ８に３個を超える炭素原子を有しているフォトクロミック材料（２−ｔ−ブトキシ−３−（３，３，４，４，５，５−ヘキサフルオロ−２−（２−メトキシ−５−フェニルチオフェン−３−イル）シクロペント−１−エニル）−５−フェニルチオフェン）を下記のようにして合成した。
【化１４】
2008310324.tif 000015
２−ｔ−ブトキシ−３−（３，３，４，４，５，５−ヘキサフルオロ−２−（２−メトキシ−５−フェニルチオフェン−３−イル）シクロペント−１−エニル）−５−フェニルチオフェン：アルゴン下の火炎乾燥した２５０ｍＬの丸底フラスコに、無水ＴＨＦ（１００ｍｌ）中の３−ブロモ−２−メトキシ−５−フェニルチオフェン（２．５１８ｇ、９．３６ｍｍｏｌ）を加えて無色の溶液を生じさせた。その混合物を−７０℃に冷却し、ｎ−ブチルリチウム２．５Ｍヘキサン（３．９３ｍｌ、９．８２ｍｍｏｌ）を滴下して加えた。その溶液を−７０℃で４５分間攪拌した。アルゴン下の別の火炎乾燥した５００ｍＬの３つ口丸底フラスコに、無水ＴＨＦ（２５０ｍｌ）中のペルフルオロシクロペント−１−エン（４．０２ｍｌ、２９．９ｍｍｏｌ）を加え、無色の溶液を生じさせた。この混合物もまた−７０℃に冷却した。４５分後、黄色の３−ブロモ−２−メトキシ−５−フェニルチオフェン溶液をペルフルオロシクロペント−１−エン中に減圧下でカニューレにより注入した。その混合物を−７０℃で１時間攪拌した。その混合物を半分の容積まで濃縮し、エーテルを加え、その混合物を水と次いで塩水（brine）により洗浄した。その残留物をヘキサンによるカラムクロマトグラフィー（ＳｉＯ２）により精製した（５４％）。
【化１５】
2008310324.tif 000016
２−ｔ−ブトキシ−３−（３，３，４，４，５，５−ヘキサフルオロ−２−（２−メトキシ−５−フェニルチオフェン−３−イル）シクロペント−１−エニル）−５−フェニルチオフェン：アルゴン下の火炎乾燥した１００ｍＬの丸底フラスコに、５０ｍｌの無水ＴＨＦ中の３−ブロモ−２−ｔ−ブトキシ−５−フェニルチオフェン（０．６６ｇ、２．１２１ｍｍｏｌ）（Ｃｈｅｍ．Ｌｅｔｔ．、２００２年、５７２頁）を加え、無色の溶液を生じさせた。その混合物を次に−７０℃に冷却した。ｎ−ブチルリチウム２．５Ｍヘキサン（０．８４８ｍｌ、２．１２１ｍｍｏｌ）を加え、溶液を淡黄色に変えた。その混合物を−７０℃で４５分間攪拌し、２〜３ｍｌの無水ＴＨＦに溶解した２−メトキシ−３−（ペルフルオロシクロペント−１−エニル）−５−フェニルチオフェン（０．８１１ｇ、２．１２１ｍｍｏｌ）を滴下して加えた。その混合物をそのまま−７０℃で１時間攪拌し、次いでそのまま周囲温度まで温めた。その混合物をエーテルで希釈し、飽和重炭酸塩溶液で洗浄した。有機層を次いで濃縮し、得られた残留物をＳｉＯ２（１：３のＤＣＭ：ヘキサン）により精製し、２−ｔ−ブトキシ−３−（３，３，４，４，５，５−ヘキサフルオロ−２−（２−メトキシ−５−フェニルチオフェン−３−イル）シクロペント−１−エニル）−５−フェニルチオフェンである白色固体を得た（５０％）。
【００４９】
実施例３．
置換基［ａ］と［ｄ］とが異なり、［ａ］および［ｄ］が、アルコキシ置換基Ｒ４およびＲ８に３個より多い炭素原子を有するフォトクロミック材料（２−ｔ−ブトキシ−３−（２−（２−（シクロヘキシルオキシ）−５−フェニルチオフェン−３−イル）−３，３，４，４，５，５−ヘキサフルオロシクロペント−１−エニル）−５−フェニルチオフェン）を、実施例２と同様に合成した。
【化１６】
2008310324.tif 000017
【００５０】
着色したフォトクロームを以下のようにして評価した。７０ｍｇのフォトクロミック材料を、トルエンに溶解したポリメタクリル酸メチル（ＰＭＭＡ−ポリマーバインダー）の溶液（ＰＭＭＡ／トルエン＝２０ｇ／１００ｍｌ）の３ｍｌに溶解して作製した。その溶液を次に石英のスライド（１”×１”）に６０秒間スピンコート（７００ｒｐｍ）し、均一なフォトクロミックフィルムを得た。その石英のスライドに３０秒間照射（３６５ｎｍ、４ｍＷ／ｃｍ２）し、紺青色のフィルムを得た。その石英のスライドを、次に、図１ならびに図２Ａおよび図２Ｂに記載されている規定の消去条件の下で、そのフィルムが一定のレーザ信号およびＵＶ／ＶＩＳ分光側色法によって測定して無色になるまで、１４０℃の温度の消去装置中にセットした。
【００５１】
印刷されたスライドは、可視光による照射が有りと無しとで、１４０℃で加熱することにより消去した。これにより、可視性の残留色がない無色の石英スライドがもたらされた。次に、そのスライドは、書込みと消去のサイクルを繰り返すことによって再び着色することができた。表１は、実施例１〜実施例３について上で記したフォトクロームの消去に対して、第１の状態（時間ゼロ、試料が着色しているとき）と時間の終点（信号が一定で最高のとき、すなわち、試料が完全に消去されている）の間の信号の半分までレーザビームから送信される信号を増加させるために必要な時間として定義される消去の半減時間を記載している。
【００５２】
【表１】
2008310324.tif 000018
【図面の簡単な説明】
【００５３】
【図１】本開示との関連で使用するための典型的な試験装置を示す図である。
【図２Ａ】図１の装置の加熱試料保持器のさらなる詳細を示す図である。
【図２Ｂ】図１の装置の加熱試料保持器のさらなる詳細を示す図である。
【図１】
2008310324.tif 000023
【図２Ａ】
2008310324.tif 000024
【図２Ｂ】
2008310324.tif 000025